(57)【要約】【課題】会議の成果物を効率的に管理することが可能な情報処理装置、プログラム及び会議管理システムを提供する。【解決手段】各会議室を示す会議室情報に関連付けて、当該会議室で開催する会議の開催時間を設定することで会議室の予約を行う予約手段と、前記会議を記録した記録データのファイル名に、当該記録データの生成日時を示す日時情報が付加された成果物ファイルを、当該会議が開催された会議室の会議室情報と関連付けて記憶する記憶手段と、前記予約手段が設定した前記各会議の会議室情報及び開催時間に基づいて、前記記憶手段に記憶された前記成果物ファイルを、対応する会議に関連付ける関連付手段と、外部装置から特定の会議が指定された場合に、当該会議に関連付けられた前記成果物ファイルを前記外部装置に提供する提供手段と、を備える。【選択図】図７
2014153759.tif 000002
【特許請求の範囲】
【請求項１】
各会議室を示す会議室情報に関連付けて、当該会議室で開催する会議の開催時間を設定することで会議室の予約を行う予約手段と、
前記会議を記録した記録データのファイル名に、当該記録データの生成日時を示す日時情報が付加された成果物ファイルを、当該会議が開催された会議室の会議室情報と関連付けて記憶する記憶手段と、
前記予約手段が設定した前記各会議の会議室情報及び開催時間に基づいて、前記記憶手段に記憶された前記成果物ファイルを、対応する会議に関連付ける関連付手段と、
外部装置から特定の会議が指定された場合に、当該会議に関連付けられた前記成果物ファイルを前記外部装置に提供する提供手段と、
を備える情報処理装置。
【請求項２】
前記提供手段は、前記予約手段が設定した前記各会議室の予約状況を前記外部装置に提供するとともに、当該会議室での会議に前記成果物ファイルが関連付けられている場合には、その旨を通知する請求項１に記載の情報処理装置。
【請求項３】
前記会議室の各々に設けられた電子黒板から、前記記録データを受信する受信手段を更に備え、
前記記憶手段は、前記記録データの受信日時を示す日時情報を、当該記録データのファイル名に付加し、前記成果物ファイルとして対応する会議室の会議室情報と関連付けて記憶する請求項１又は２に記載の情報処理装置。
【請求項４】
前記予約手段は、前記各会議室を示す会議室情報に関連付けて、当該会議室で開催する会議の参加者を更に設定し、
前記提供手段は、前記外部装置から指定された前記特定の会議の参加者に、当該外部装置のユーザが含まれる場合に、当該会議に関連付けられた前記成果物ファイルを前記外部装置に提供する請求項１〜３の何れか一項に記載の情報処理装置。
【請求項５】
各会議室を示す会議室情報に関連付けて、当該会議室で開催する会議の開催時間を設定することで会議室の予約を行う予約手段を備えた情報処理装置を、
前記会議を記録した記録データのファイル名に、当該記録データの生成日時を示す日時情報を付加した成果物ファイルを、当該会議が開催された会議室の会議室情報と関連付けて記憶する記憶手段と、
前記予約手段が設定した前記各会議の会議室情報及び開催時間に基づいて、前記記憶手段に記憶された前記成果物ファイルを、対応する会議に関連付ける関連付手段と、
外部装置から特定の会議が指定された場合に、当該会議に関連付けられた前記成果物ファイルを前記外部装置に提供する提供手段と、
して機能させるためのプログラム。
【請求項６】
電子黒板と情報処理装置とを有する会議管理システムであって、
前記電子黒板は、
会議状況を記録する記録手段と、
前記記録手段により記録された記録データを送信する送信手段と、
を備え、
前記情報処理装置は、
各会議室を示す会議室情報に関連付けて、当該会議室で開催する会議の開催時間を設定することで会議室の予約を行う予約手段と、
前記会議を記録した記録データのファイル名に、当該記録データの生成日時を示す日時情報を付加した成果物ファイルを、当該会議が開催された会議室の会議室情報と関連付けて記憶する記憶手段と、
前記予約手段が設定した前記各会議の会議室情報及び開催時間に基づいて、前記記憶手段に記憶された前記成果物ファイルを、対応する会議に関連付ける関連付手段と、
外部装置から特定の会議が指定された場合に、当該会議に関連付けられた前記成果物ファイルを前記外部装置に提供する提供手段と、
を備える会議管理システム。
【発明の詳細な説明】
【技術分野】
【０００１】
本発明の実施形態は、情報処理装置、プログラム及び会議管理システムに関する。
【背景技術】
【０００２】
従来、グループウェアなどを利用することで会議室の予約を行うシステムが用いられている。係る会議室予約システムでは、クライアントとなるパーソナルコンピュータから、アプリケーションソフトを使用して、サーバに会議室の予約情報（予約者名、会議室名、会議名、予約日時等）を登録することで会議室の使用を管理することが可能となっている。しかしながら、従来の会議室予約システムでは、会議室を予約することは可能であるが、議事録等の会議状況の記録を管理することはできなかった。そのため、従来は、会議が終了した後に、議事録等の記録データを、会議の出席者に印刷して配布したり、電子メールで配布したりする必要があるため、その作業が煩雑になっていた。また、記録データの管理は、記録データを受け取った者が独自に行っているため、過去の議事録を探すのに時間がかかる、あるいは議事録を紛失してしまうなどの問題があった。
【発明の概要】
【発明が解決しようとする課題】
【０００３】
本発明の実施形態が解決しようとする課題は、会議の成果物を効率的に管理することが可能な情報処理装置、プログラム及び会議管理システムを提供することである。
【課題を解決するための手段】
【０００４】
実施形態の情報処理装置は、各会議室を示す会議室情報に関連付けて、当該会議室で開催する会議の開催時間を設定することで会議室の予約を行う予約手段と、前記会議を記録した記録データのファイル名に、当該記録データの生成日時を示す日時情報が付加された成果物ファイルを、当該会議が開催された会議室の会議室情報と関連付けて記憶する記憶手段と、前記予約手段が設定した前記各会議の会議室情報及び開催時間に基づいて、前記記憶手段に記憶された前記成果物ファイルを、対応する会議に関連付ける関連付手段と、外部装置から特定の会議が指定された場合に、当該会議に関連付けられた前記成果物ファイルを前記外部装置に提供する提供手段と、を備える。
【図面の簡単な説明】
【０００５】
【図１】図１は、本実施形態の会議管理システムの構成図である。
【図２】図２は、サーバ装置のハードウェア構成を示すブロック図である。
【図３】図３は、電子黒板の斜視図である。
【図４】図４は、電子黒板のハードウェア構成を示すブロック図である。
【図５】図５は、電子黒板の操作パネルを示す図である。
【図６】図６は、会議管理システムの機能構成図である。
【図７】図７は、会議管理アプリケーションのメイン画面を示す図である。
【図８】図８は、会議室予約画面を示す図である。
【図９】図９は、電子黒板が行うデータ保存処理の手順を示すフローチャートである。
【図１０】図１０は、サーバ装置が行う会議管理処理の手順を示すフローチャートである。
【発明を実施するための形態】
【０００６】
図１は、本実施形態の会議管理システムの構成図である。会議管理システムは、クライアント端末装置１と、サーバ装置２と、会議室３毎に設けられた電子黒板４とを有している。ここで、クライアント端末装置１及び電子黒板４は、ＬＡＮ（Ｌｏｃａｌ  Ａｒｅａ  Ｎｅｔｗｏｒｋ）等のネットワーク５を介してサーバ装置２に接続されている。
【０００７】
クライアント端末装置１は、パーソナルコンピュータ等の情報処理装置である。クライアント端末装置１は、自装置を統括的に制御するＣＰＵと、各種制御プログラムを不揮発的に記憶するＲＯＭと、ワーキングエリアとして機能し、各種データを一時的に記憶するＲＡＭと、各種データを記憶する記憶装置と、通信ネットワークを介して通信を行うための通信インターフェースと、各種情報を表示する表示装置としてのディスプレイと、各種操作を行うためのキーボード、マウス等を備えた操作部と、を備えている（何れも図示せず）。
【０００８】
図２は、本実施形態のサーバ装置２のハードウェア構成を示すブロック図である。サーバ装置２は、グループウェアサーバ等の情報処理装置である。
【０００９】
サーバ装置２は、自装置を統括的に制御するＣＰＵ２１と、各種制御プログラムを不揮発的に記憶するＲＯＭ２２と、ワーキングエリアとして機能し、各種データを一時的に記憶するＲＡＭ２３と、各種データを記憶する記憶装置２４と、通信ネットワークを介して通信を行うための通信インターフェース２５と、を備えている。また、サーバ装置２は、必要に応じて、各種情報を表示する表示装置としてのディスプレイ２６と、各種操作を行うためのキーボード、マウス等を備えた操作部２７と、を備えている。また、記憶装置２４は、ファイルシステムとして、後述する会議室予約情報ファイル２１０と、議事録フォルダ２２０と、を有している。
【００１０】
図３は、本実施形態の電子黒板４の斜視図である。電子黒板４は、脚部４１と、フレーム４２と、盤面４３と、プリンタ４４と、操作パネル４５と、を備えている。
【００１１】
脚部４１は、長方形のフレーム４２を支持している。フレーム４２は、エンドレス状の筆記用の盤面４３を収納している。書記は、前面側の外部に露出した盤面４３に、マーカーペン等によって文字や図形等を筆記することが可能である。盤面４３は、一例としてポリエチレン製のものが採用される。また、脚部４１は、ラインセンサによって読み取られた描画対象を用紙に印刷して発行するためのプリンタ４４を支持している。また、フレーム４２の右側縁部には、電子黒板４を操作するための各種のキーを有する操作パネル４５が一体的に設けられている（図５参照）。
【００１２】
図４は、本実施形態の電子黒板４のハードウェア構成を示すブロック図である。電子黒板４は、自装置を統括的に制御するＣＰＵ４６と、各種制御プログラムを不揮発的に記憶するＲＯＭ４７と、ワーキングエリアとして機能し、各種データを一時的に記憶するＲＡＭ４８と、各種データを記憶する記憶装置４９と、通信ネットワークを介して通信を行うための通信インターフェース５０と、各種操作を入力する操作パネル４５と、盤面４３を回転して搬送させるモータ制御部５１と、盤面４３に描写された内容を読み取るセンサ部５２と、センサ部５２が読み取った描写内容を印刷するプリンタ４４と、を備えている。また、ＲＡＭ４８は、後述する画像ファイルバッファ４０２として機能する（図６参照）。また、記憶装置４９には、後述する出力先フォルダ情報４０４が予め記憶されている（図６参照）。
【００１３】
図５は、電子黒板４の操作パネル４５を示す図である。操作パネル４５の議事録保存ボタン５３が押されると、電子黒板４のＣＰＵ４６は、センサ部５２で読み取られた盤面４３上での描写内容から画像ファイルを生成する。
【００１４】
図６は、本実施形態の会議管理システムの機能構成図である。クライアント端末装置１は、機能部としてクライアント処理部１００を備える。クライアント処理部１００は、例えば図示しないクライアント端末装置１のＣＰＵと、記憶装置に記憶されたクライアント用の会議管理アプリケーション（プログラム）との協働により実現される、クライアント処理部１００を備える。
【００１５】
クライアント処理部１００は、サーバ装置２の後述するサーバ処理部２００と連携することで、後述するメイン画面（図７参照）や会議室予約画面（図８参照）等をディスプレイに表示する。また、クライアント処理部１００は、メイン画面や会議室予約画面に基づき、会議の予約や、予約状況の確認、議事録の閲覧等をサーバ装置２に要求する。
【００１６】
より詳細には、クライアント処理部１００は、予約対象の会議室３、予約日時、会議の参加メンバー等を指定した予約要求をサーバ装置２に送信することで、その会議室３の予約を要求する。また、クライアント処理部１００は、特定の会議室３の議事録２２１を指定する閲覧要求をサーバ装置２に送信することで、その議事録２２１の閲覧を要求する。
【００１７】
サーバ装置２は、例えばＣＰＵ２１と記憶装置２４に記憶されたサーバ用の会議管理アプリケーション（プログラム）との協働により実現されるサーバ処理部２００と、会議室予約情報ファイル２１０と、議事録フォルダ２２０に格納された議事録２２１と、を備える。
【００１８】
サーバ処理部２００は、クライアント端末装置１のクライアント処理部１００と連携することで、当該クライアント処理部１００からの要求に応じたサービスを提供する機能部である。
【００１９】
より詳細には、サーバ処理部２００は、クライアント端末装置１から予約要求を受け付けると、この予約要求で指定された会議室３に関連付けて、予約時間、参加メンバー等を会議室予約情報ファイル２１０に設定することで、会議室３の予約を行う。ここで、会議室予約情報ファイル２１０は、各会議室３の予約状況を管理するためのファイルである。そして会議室予約情報ファイル２１０は、例えば、各会議室３と、当該会議室３の予約時間と、参加メンバー等の付加情報とを関連付けて保持するためのデータ構造を有する。
【００２０】
また、サーバ処理部２００は、電子黒板４からの格納先の議事録フォルダ２２０を指定した後述する格納要求に応じて、当該電子黒板４から送信される議事録２２１を議事録フォルダ２２０に格納する。
【００２１】
ここで、議事録フォルダ２２０は、会議室３毎に用意されたフォルダである。サーバ処理部２００は、電子黒板４から格納要求を受け付けると、この格納要求で指示された議事録フォルダ２２０に議事録２２１を格納する。議事録２２１は、電子黒板４の盤面４３に記載された会議内容を、電子黒板４が読み取った画像ファイルなどである。また、議事録２２１は、会議室３と当該会議室３の予約時間からなる予約情報と関連付けが行われる。
【００２２】
より詳細には、サーバ処理部２００は、議事録２２１を格納した議事録フォルダ２２０のフォルダ名（会議室３）と、議事録２２１のファイル名（日時）とに基づき、当該議事録２２１に対応する会議を、会議室予約情報ファイル２１０に登録された各会議（会議室３＋予約日時）から特定する。そして、サーバ処理部２００は、特定した会議室予約情報ファイル２１０の会議に対し、議事録２２１の関連付けを行う。
【００２３】
電子黒板４は、機能部として盤面読み取り部４００と、画像ファイル作成部４０１と、画像ファイル出力部４０３と、プリンタ出力部４０５とを備えている。盤面読み取り部４００、画像ファイル作成部４０１、画像ファイル出力部４０３及びプリンタ出力部４０５は、電子黒板４のＣＰＵ４６と、記憶装置４９に記憶されたプログラムとの協働により実現される。
【００２４】
盤面読み取り部４００は、センサ部５２による盤面４３の読み取り制御と、センサ部５２が読み取ったアナログ値をデジタル値に変換する処理を制御する機能と、が設けられている。そして、画像ファイル作成部４０１は、盤面読み取り部４００が変換したデジタル値を画像ファイルに変換する機能が設けられている。また、画像ファイルバッファ４０２は、デジタル値から逐次変換される画像ファイル（記録データ）を格納する領域である。
【００２５】
画像ファイル出力部４０３は、出力先フォルダ情報４０４に基づき、格納先のサーバ装置２の議事録フォルダ２２０を指定した格納要求とともに、画像ファイル作成部４０１が作成した画像ファイルを、議事録２２１（成果物ファイル）として出力する。ここで、出力先フォルダ情報４０４には、自装置（電子黒板４）が設定された会議室３に対応する議事録フォルダ２２０のパス等が記載されている。
【００２６】
また、画像ファイル出力部４０３は、議事録２２１をサーバ装置２に出力する際に、その議事録２２１のファイル名に、当該議事録２２１（画像ファイル）が作成された日時を示す日時情報を付加する。なお、日時情報は、例えば、ＲＴＣ（Ｒｅａｌ  Ｔｉｍｅ  Ｃｌｏｃｋ）等の計時手段で計時されたものを用いるものとする。
【００２７】
プリンタ出力部４０５は、画像ファイル作成部４０１が作成した画像ファイルを、プリンタ４４に出力して印刷させる機能が設けられている。
【００２８】
次に、クライアント処理部１００とサーバ処理部２００との連携により、クライアント端末装置１の表示装置に表示される画面について説明する。図７は、会議管理アプリケーションのメイン画面を示す図である。メイン画面は、サーバ処理部２００から提供される会議室予約情報ファイル２１０の内容に基づき、クライアント端末装置１が表示するＧＵＩである。
【００２９】
メイン画面には、会議室名の欄１０１と会議室情報の欄１０２が設けられる。また、会議室予約ボタン１０３、前週ボタン１０４、次週ボタン１０５、前月ボタン１０６、次月ボタン１０７、及び、終了ボタン１０８が設けられる。
【００３０】
会議室名の欄１０１は、選択されている会議室３を強調表示で示す欄である。会議室情報の欄１０２は、選択している会議室３の１週間分の会議室予約情報を表示する欄である。会議室予約ボタン１０３は、押されると会議室予約画面を表示するボタンである。前週ボタン１０４、次週ボタン１０５、前月ボタン１０６、及び、次月ボタン１０７は、いずれかが押された場合に、その期間の会議室情報を表示するボタンである。終了ボタン１０８は、メイン画面の表示を終了するボタンである。
【００３１】
クライアント処理部１００は、会議室名の欄１０１で選択された会議室３について、前週ボタン１０４、次週ボタン１０５、前月ボタン１０６及び次月ボタン１０７のいずれかの押下を受け付けると、その会議室３及び期間を指定した照会要求をサーバ装置２に送信する。これに伴い、サーバ装置２のサーバ処理部２００は、照会要求で指示された会議室３及び期間の予約状況を会議室予約情報ファイル２１０から抽出し、クライアント端末装置１に送信する。そして、クライアント端末装置１のクライアント処理部１００では、サーバ装置２から提供された予約状況に基づき、会議室情報の欄１０２内の会議室情報を表示する。
【００３２】
また、会議室情報の欄１０２内において、議事録リンク記号１０９は、その会議での成果物となる議事録２２１が存在し、会議情報と関連付けされていることを示すものである。クライアント処理部１００は、議事録リンク記号１０９の押下を受け付けると、議事録２２１の閲覧要求をサーバ装置２に送信する。
【００３３】
閲覧要求を受信したサーバ処理部２は、会議室予約情報ファイル２１０の内容から、ユーザが議事録２２１の閲覧権限を有しているか否かを判定する。議事録２２１の閲覧権限を有していると判定した場合に、サーバ装置２は、クライアント端末装置１に議事録２２１を提供する。そして、クライアント端末装置１は、議事録２２１を表示する。
【００３４】
図８は、会議室予約画面を示す図である。この会議室予約画面は、例えば、上述したメイン画面において、特定の会議室３及び会議室情報の欄１０２を選択した状態で、予約ボタン１０３を押下することで表示される。なお、予約済みの会議が選択された場合に、サーバ処理部２００は、その会議に対応する予約時間、参加メンバー等の情報を会議室予約情報ファイル２１０から読み出し、クライアント端末装置１に提供する。これにより、クライアント端末装置１では、後述する各項目について入力済みの会議室予約画面が表示される。
【００３５】
会議室予約画面には、予約者の欄１１０、予約者の照会ボタン１１０ａ、予約日の欄１１１、予約時間の欄１１２、会議名の欄１１３、出席者の欄１１４、出席者の照会ボタン１１４ａ、議事録の欄１１５、議事録の照会ボタン１１５ａ、ＯＫボタン１１６、キャンセルボタン１１７が設けられる。
【００３６】
予約者の欄１１０は、会議室３を予約する者を設定する。予約者の照会ボタン１１０ａは、リストから予約する者を選択する場合に使用する。予約日の欄１１１は、会議の開催年月日を設定する。予約時間の欄１１２は、会議の開始時刻から終了時刻までを設定する。会議名の欄１１３は、会議の名称を設定する。出席者の欄１１４は、会議の出席者を設定する。出席者の照会ボタン１１４ａは、リストから出席する者を選択する場合に使用する。議事録の欄１１５は、この会議での成果物となる議事録２２１のファイル名が表示される。議事録の照会ボタン１１５ａは、リストから議事録２２１を選択する場合に使用する。
【００３７】
議事録２２１のファイル名は、「２０１２１００１＿１１５５．ｐｄｆ」のように議事録２２１が作成された年月日時分秒を表す文字列が含まれる。サーバ装置２のサーバ処理部２００は、ファイル名から議事録２２１が作成された時間を判定する。そして、会議の予約時間内に作成された議事録２２１を、その会議の議事録２２１として関連付けを行う。なお、予約時間を超えて会議を延長する場合には、その会議の終了予定日時を会議室予約情報ファイル２１０に反映するものとする。
【００３８】
なお、議事録２２１の関連付けは、クライアント端末装置１のユーザが手動で行うことも可能である。より詳細には、ユーザは、議事録の欄１１５の右側にある議事録の照会ボタン１１５ａを押して、ファイル選択画面を表示させる。そして、ユーザは、会議室３ごとにある議事録フォルダ２２０から議事録２２１を選択し、会議との関連付けを行う。
【００３９】
例えば、予約時間内に会議が終了しなかった場合に、ユーザは、手動で議事録２２１の関連付けを行う。この場合に、予約時間を過ぎてしまっているので、サーバ処理部２００は、関連付けを行うことができない。よって、ユーザは、議事録２２１を作成した時間のファイル名が付けられた議事録２２１を、ファイル選択画面から選び関連付けを行う。なお、議事録２２１の関連付けをすることが可能なユーザは、その会議の参加メンバーに限定する形態としてもよい。
【００４０】
ＯＫボタン１１６は、欄１１０から欄１１４、或いは欄１１５に設定した内容を会議室予約情報ファイル２１０に登録する場合に使用する。より詳細には、ＯＫボタン１１６の押下を受け付けると、クライアント処理部１００は、欄１１０から欄１１５の情報をサーバ装置２へ送信する。そして、サーバ装置２は、送信内容を会議室予約情報ファイル２１０に登録する。これにより、サーバ処理部２００は、会議室３の予約、或いは議事録２２１の関連付けを行う。
【００４１】
以下、会議管理システムの動作について説明する。まず、図９を参照して、電子黒板４の動作について説明する。図９は、電子黒板４が行うデータ保存処理の手順を示すフローチャートである。なお、本処理の前提として、会議の議事が電子黒板４の盤面４３に書かれているものとする。
【００４２】
ユーザは、会議の議事を電子黒板４の盤面４３に作成すると、電子黒板４の操作パネル４５にある議事録保存ボタン５３を押す。議事録保存ボタン５３の押下を受け付けると、盤面読み取り部４００は、盤面４３を読み取りデジタル値を生成する（ステップＴ１）。
【００４３】
次に、画像ファイル作成部４０１は、生成されたデジタル値から画像ファイル（記録データ）を作成して画像ファイルバッファ４０２に格納する（ステップＴ２）。
【００４４】
そして、画像ファイルバッファ４０２に格納されている画像ファイルを、画像ファイル出力部４０３は、出力先フォルダ情報４０４が指定するサーバ装置２の議事録フォルダ２２０へ保存する（ステップＴ３）。
【００４５】
以上の処理により、電子黒板４で生成された議事録２２１（成果物ファイル）は、当該電子黒板４ごとに設けられたサーバ装置２の議事録フォルダ２２０へ保存される。
【００４６】
次に、図１０を参照して、サーバ装置２の動作について説明する。図１０は、サーバ装置２が行う会議管理処理の手順を示すフローチャートである。なお、本処理の前提として、サーバ装置２へのアクセス時に、クライアント端末装置１を操作するユーザのユーザ名（氏名）が、サーバ装置２に送信されるものとする。
【００４７】
クライアント端末装置１からの要求に応じて、サーバ処理部２００は、会議室予約情報ファイル２１０の内容を出力する。クライアント端末装置１は、出力された会議室予約情報ファイル２１０の内容を用いてメイン画面を表示させる（ステップＳ１）。
【００４８】
サーバ処理部２００は、クライアント端末装置１からの操作入力の受け付けを待機する（ステップＳ２）。
【００４９】
サーバ処理部２００は、クライアント端末装置１からの操作入力を受け付けると、その入力内容を判定する（ステップＳ３）。そして、サーバ処理部２００は、操作入力に対応した状態にステートを遷移させる。
【００５０】
前週ボタン１０４、次週ボタン１０５、前月ボタン１０６、次月ボタン１０７のいずれかが選択された場合に、クライアント端末装置１は、照会要求をサーバ処理部２００に送信する。サーバ処理部２００は、選択した時期の会議室予約情報ファイル２１０の内容をクライアント端末装置１に出力する（ステップＳ４）。また、提供された会議室予約情報ファイル２１０の内容を用いて、クライアント端末装置１は、選択された時期の内容に表示を切り替える。その後、サーバ処理部２００は、状態をステップＳ２へ遷移させる。
【００５１】
会議室予約ボタン１０３を押された場合に、クライアント端末装置１は、照会要求をサーバ処理部２００に送信する。サーバ処理部２００は、会議室予約情報ファイル２１０の内容をクライアント端末装置１に出力する（ステップＳ５）。そして、提供された会議室予約情報ファイル２１０の内容を用いて、クライアント端末装置１は、会議室予約画面を表示する。
【００５２】
ユーザは、表示された会議室予約画面のそれぞれの欄に「予約者」「予約日」「予約時間」「会議名」を入力する（ステップＳ６）。また、照会ボタンが押された場合に、サーバ処理部２００は、対応した情報をクライアント端末装置１に提供する。
【００５３】
会議室予約画面にあるＯＫボタン１１６が押されると、サーバ処理部２００は、入力された予約情報を会議室予約情報ファイル２１０に登録する（ステップＳ７）。その後、サーバ処理部２００は、状態をステップＳ２へ遷移させる。
【００５４】
議事録リンク記号１０９が選択された場合に、クライアント端末装置１は、サーバ処理部２００に議事録２２１の閲覧要求を行う。サーバ処理部２００は、クライアント端末装置１のユーザが議事録２２１の閲覧権限を有しているか否かを判定する（ステップＳ８）。サーバ処理部２００は、ユーザが出席者の欄１１４に登録されていれば、閲覧権限を有していると判定し、登録されていなければ閲覧権限が無いと判定する。
【００５５】
そして、サーバ処理部２００は、判定結果をクライアント端末装置１に出力する。また、ユーザが議事録２２１の閲覧権限を有している場合に、サーバ処理部２００は、状態をステップＳ９へ遷移させる（ステップＳ８の閲覧可）。ユーザが議事録の閲覧権限を有していない場合に、サーバ処理部２００は、状態をステップＳ２へ遷移させる（ステップＳ８の閲覧不可）。
【００５６】
ユーザが議事録の閲覧権限を有している場合に、サーバ処理部２００は、議事録２２１をクライアント端末装置１に出力する。そして、クライアント端末装置１は、提供された議事録２２１を表示する（ステップＳ９）。
【００５７】
議事録画面が閉じられると、クライアント端末装置１は、議事録画面を消去する（ステップＳ１０）。また、サーバ処理部２００は、議事録画面が閉じられたことを、クライアント端末装置１から受信する。その後、サーバ処理部２００は、状態をステップＳ２へ遷移させる。
【００５８】
終了ボタン１０８が押されると、クライアント端末装置１は、メイン画面を消去して処理を終了する（ステップＳ１１）。また、サーバ処理部２００は、メイン画面が閉じられたことを、クライアント端末装置１から受信する。
【００５９】
以上説明したように、本発明によれば、電子黒板４で作成した議事録２２１の画像ファイルは、自動的にサーバ装置２に取り込まれる。また、会議管理アプリケーションは、会議室予約機能と議事録管理機能を備えていることから、容易に会議の議事録２２１である画像ファイルを閲覧できるため、議事録２２１の管理効率が向上する。
【００６０】
以上、本発明の実施形態を説明したが、上記実施形態は、例として提示したものであり、発明の範囲を限定することは意図していない。上記実施形態は、その他の様々な形態で実施されることが可能であり、発明の要旨を逸脱しない範囲で、種々の省略、置き換え、変更、追加、組み合わせ等を行うことができる。また、上記実施形態やその変形は、発明の範囲や要旨に含まれるとともに、特許請求の範囲に記載された発明とその均等の範囲に含まれる。
【００６１】
また、上記実施形態は、議事録２２１が一つしか作成されていなかったが、これに限らず、議事録２２１は、複数作成される構成としてもよい。
【００６２】
また、上記実施形態は、サーバ装置２に会議室３ごとに議事録フォルダ２２０を設けたが、これに限らず、議事録フォルダ２２０は、一つだけの構成としてもよい。この場合は、議事録２２１のファイル名に、会議室３を示すＩＤなどの情報を付加することで、会議が行われた会議室３を判別できるようにすればよい。
【００６３】
また、上記実施形態では、電子黒板４が議事録２２１を作成した時の日時情報を、議事録２２１のファイル名に付加しているが、これに限らず、サーバ装置２側で付加してもよい。例えば、サーバ装置２が議事録２２１を受信した時の日時情報を、議事録２２１のファイル名に付加する構成としてもよい。
【００６４】
また、上記実施形態は、電子黒板４の盤面４３を読み取った画像ファイルを議事録２２１としたが、これに限らず、電子黒板４に録音装置を取り付けて録音した音声データを議事録２２１としてもよい。
【００６５】
また、上記実施形態は、議事録２２１の作成時間をファイル名に付加する形態としたが、これに限らず、例えば、会議の開始日時を付加する形態としてもよい。この形態を採用する場合、例えば、電子黒板４等に会議の開始を宣言するためのボタンを設け、利用者により該当ボタンが押下された日時を議事録２２１に付加する。
【符号の説明】
【００６６】
１      クライアント端末装置
２      サーバ装置
３      会議室
４      電子黒板
４５    操作パネル
２２１  議事録
【先行技術文献】
【特許文献】
【００６７】
【特許文献１】特開２００７−１５８６０１号公報
【図１】
2014153759.tif 000003
【図２】
2014153759.tif 000004
【図３】
2014153759.tif 000005
【図４】
2014153759.tif 000006
【図５】
2014153759.tif 000007
【図６】
2014153759.tif 000008
【図７】
2014153759.tif 000009
【図８】
2014153759.tif 000010
【図９】
2014153759.tif 000011
【図１０】
2014153759.tif 000012